(57)【要約】【課題】本発明は、移動局への着呼を所定の転送先に転送する移動通信網装置、基地局、及び移動局に関し、移動通信網のサービスエリアの中で、通話が規制されている通信エリアに移動した移動局への着呼を所定の転送先に転送する。【解決手段】移動通信網装置４０が、特定の基地局３０と転送先電話番号とを対応付けた転送先テーブルに基き、移動局１０への着呼を転送する。又は基地局３０が、その通信エリア３０ａに在圏している移動局１０に対する着呼を所定の転送先電話番号に転送することを有効にする転送設定要求を移動通信網装置４０に対して行う。又は移動局１０が、特定の基地局３０が送出する着信転送制御情報を受信したとき、自局１０への着呼を所定の電話番号への転送を有効にする転送設定要求を基地局３０経由で移動通信網装置４０に送信する。【選択図】      図１
2004254183.tif 000002
【特許請求の範囲】
【請求項１】
特定の基地局と、該基地局の通信エリアに在圏する移動局への着呼の転送先電話番号とを対応付けた転送先テーブルと、
該移動局に対する着呼を、該特定の基地局を経由して該転送先テーブルに基づき転送する着信転送制御回路と、
を備えたことを特徴とする移動通信網装置。
【請求項２】
自分自身の通信エリアに在圏する移動局からの位置登録要求を受信する位置登録要求受信部と、
該通信エリアに在圏している移動局への着呼を所定の転送先電話番号に転送することを有効にする転送設定要求を、移動通信網装置に対して行う転送設定処理部と、
を備えたことを特徴とする基地局。
【請求項３】
特定の基地局が送出する着信転送制御情報を受信する着信転送制御情報受信回路と、
該受信回路が該着信転送制御情報を受信したとき、自局に対する着呼の所定の電話番号への転送を有効にする転送設定要求を該特定の基地局経由で移動通信網装置に送信する着信転送要求／解除送信回路と、
を備えたことを特徴とする移動局。
【請求項４】
請求項３において、
該着信転送要求／解除送信回路が、該転送先電話番号を該移動通信網装置に通知することを特徴とした移動局。
【請求項５】
請求項３において、
該着信転送要求／解除送信回路は、該着信転送制御情報を一定時間以上受信しなくなったとき、電波の強度が所定の閾値以下になったとき、又は電源断スイッチが押されたとき、転送設定を解除する転送設定解除要求を該移動通信網装置に通知することを特徴とした移動局。
【発明の詳細な説明】
【０００１】
【発明の属する技術分野】
本発明は、移動通信網装置、基地局、及び移動局に関し、特に、移動局への着呼を所定の転送先に転送する移動通信網装置、基地局、及び移動局に関するものである。
【０００２】
近年、移動通信技術の進歩に伴う携帯電話等の移動局の急速な普及は、根源的な変化を経済及び社会に与えつつある。このような移動通信においては、利用者の利便性を考慮した、例えば、移動局に着信した呼を他の受信局に転送する着信転送システムを構築することが重要である。
【０００３】
【従来の技術】
近年、公衆の場所、例えば、病院、コンサートの会場、新幹線、電車、及びバス等において、他人の迷惑となる携帯電話等の通話を規制する動きがある。
このような背景に基づき従来から開示されている移動体通信システムは、移動局と基地局と複数の基地局を管理するコントロールセンターとを有して成り、移動局が着信禁止位置に居るかどうか検出する手段と、この検出結果により前記着信禁止位置に居るとき移動局着信呼び出しの告知を禁止する告知禁止手段とを有している。
【０００４】
また、この移動体通信システムは、着信禁止されたことによる情報入手機会損出の不利益を軽減するため、発信元からのメッセージを記録し、移動局ユーザの要求に応じてメッセージを再生するメッセージ記録・再生手段を有している先行技術がある（例えば、特許文献１参照）。
【０００５】
この移動体通信システムは、移動局ユーザの要求に応じてメッセージを記憶・再生するためのものであり、移動局ユーザに対して発信元と直接の対話するためのものではない。
そこで、従来から知られている移動通信システムとその移動機の転送先設定方法として、公衆通信網に接続された、移動電話交換局及び会議室等内に設置される固定電話機並びに電波発信装置と、前記移動電話交換局によって管理される無線の電話機能を有する複数の移動機とからなり、前記電波発信装置は転送先受付可能であることを示す予め定められた無線周波数の転送先設定受付信号を生成して連続的に無線送出する信号生成発信手段と、前記転送設定受付信号に対する移動機からの電話番号を含む第１の応当信号を予め定められた第１のチャネルで受信する前記移動電話交換局を呼び出して前記第１の応答信号を送出した前記移動機の電話番号及び予め設定された転送先の前記固定電話機の電話番号と共に転送先設定要求信号送出する要求信号送出手段と、前記転送先設定要求信号の送出後前記第１の応答信号を送出した前記移動機に対してその移動機の電話番号と共に予め定められた第２にチャネルで所在確認信号を送出して予め定められた第３のチャネルで前記所在確認信号に対する前記移動機の電話番号と共に第２の応答信号を受信する所在確認手段と、前記所在確認信号に対する前記第２の応答信号が無いときに前記移動電話局に対して前記移動機に対する転送先設定解除を要求する解除信号を送出する解除手段とを備え、会議室等の移動通信圏外に移動した移動機に対する着信を自動的に転送しているものがある（例えば、特許文献２参照）。
【０００６】
すなわち、移動端末側の利用者が何の手も煩わすことなく、移動通信圏外に移動しても固定電話機へ自動的に転送先設定を行い、圏内に戻れば自動的に転送設定の解除を行う。
【０００７】
【特許文献１】
特開平７−８７５６８号公報（第２頁、図１）
【０００８】
【特許文献２】
特開２００１−２９８７７６号公報（第２頁、図１）
【０００９】
【発明が解決しようとする課題】
しかしながら、この移動体通信システムとその移動機（移動局）の転送先設定方法は、移動体通信網のサービスエリアの圏外に移動した移動機に対する着信転送を行うものであり、移動機が、移動体通信網のサービスエリア外の所定のエリアに入っていたことを検出するための電波発信装置が必要である。また、この電波発信装置は、移動機の電話番号及び予め設定された転送先固定電話機の電話番号を含む転送先設定要求信号を移動電話交換局に送信する必要がある。
【００１０】
従って本発明は、移動局への着呼を所定の転送先に転送する移動通信網装置、基地局、又は移動局において、移動通信網のサービスエリアの中で、通話が規制されているエリアに移動した移動局への着呼を所定の転送先に転送することを課題とする。
【００１１】
【課題を解決するための手段】
上記の課題を解決するため、本発明に係る移動通信網装置は、特定の基地局と、該基地局の通信エリアに在圏する移動局への着呼の転送先電話番号とを対応付けた転送先テーブルと、該移動局に対する着呼を、該特定の基地局を経由して該転送先テーブルに基づき転送する着信転送制御回路と、を備えたことを特徴としている。
【００１２】
すなわち、移動通信網装置は、転送先テーブルと着信転送制御回路とを備えており、転送先テーブルには、特定の基地局と、この基地局の通信エリアに在圏する移動局への着呼の転送先電話番号とが対応付けられている。着信転送制御回路は、該移動局への着呼を、転送先テーブルに基づき転送先電話番号に転送する。
【００１３】
これにより、特定の基地局の通信エリアに在圏する移動局を直接呼び出すことが回避できる。すなわち、通話が規制されているサービスエリアに移動した移動局への着呼を所定の電話番号に転送することが可能になる。
なお、転送先電話番号は、移動局又は固定電話の番号とすることができる。また、転送先テーブルへの特定の基地局の登録は、予め転送先テーブルに登録するか、又は各特定の基地局から登録してもよい。
【００１４】
また、転送先テーブルへの特定の基地局に対応した転送先電話番号の登録も、同様である。また、転送先テーブルとして、位置登録テーブルを兼用してもよい。
また、上記の本発明において、着信転送制御回路は、該特定の基地局から転送設定要求を受信することによって、該特定の基地局の通信エリアに在圏する移動局への着呼の転送を有効にすることができる。
【００１５】
また、上記の本発明において、該転送設定要求を位置登録設定要求に含せることができる。これにより、従来の位置登録設定要求を用いて転送設定要求を容易に受信することができる。
また、上記の本発明において、該転送先テーブルが、該移動局毎に転送先電話番号を対応付けることができる。これにより、移動局毎に異なる番号の電話に、着呼を転送することが可能になる。
【００１６】
また、上記の本発明において、該転送先電話番号を、該特定の基地局を経由して、該移動局から通知してもよい。
また、上記の本発明において、該転送先テーブルの転送先を解除する情報を、該特定の基地局を経由して、該移動局から通知してもよい。
【００１７】
すなわち、移動局においては、転送先テーブルの転送先電話番号を解除する情報を、該特定の基地局を経由して、移動通信網装置に通知することができる。
移動通信網装置の着信転送制御回路は、該通知を受けたとき、該移動局への着信の転送を行わない。
【００１８】
これにより、例えば、移動局の状態又は移動局からの指定により着呼を、転送しないようにすることが可能になる。
なお、転送先を削除（無効）にする情報として、例えば、「移動局の電源断」、「移動局の受信強度が所定の閾値以下」、及び「特定の基地局以外の位置録」等とすることが可能である。
【００１９】
また、上記の本発明において、該基地局が、転送設定要求を該移動局の電源断を契機として送出することができる。
すなわち、上記の本発明とは逆に、電源を断にした移動局への着呼を転送するようにしてもよい。
【００２０】
さらに、上記の本発明において、該着信転送制御回路は、着信転送を音声によって発信元に通知することができる。
上記の課題を解決するため、本発明に係る基地局は、自分自身の通信エリアに在圏する移動局からの位置登録要求を受信する位置登録要求受信部と、該通信エリアに在圏している移動局への着呼を所定の転送先電話番号に転送することを有効にする転送設定要求を、移動通信網装置に対して行う転送設定処理部と、を備えたことを特徴としている。
【００２１】
すなわち、位置登録要求受信部は、自分自身の通信エリアに在圏する移動局からの位置登録要求を受信する。転送設定処理部は、通信エリアに在圏している移動局への着信を所定の転送先電話番号に転送することを有効にする転送設定要求を移動通信網装置に送信する。
【００２２】
これにより、基地局の通信エリアに在圏する移動局への着呼を、指定された電話番号に転送することが可能になる。
なお、転送先電話番号は、移動局又は固定電話の番号とすることができる。また、転送先電話番号は、移動通信網装置に予め基地局に対応付けて設定しておいてもよいし、基地局から通知してもよい。
【００２３】
また、該移動通信網装置においては、着呼を転送するとき、発信元に対して音声によって転送することを通知するようにしてもよい。
また、上記の本発明において、該転送設定要求を位置登録設定要求に含ませてもよい。これにより、従来の位置登録設定要求を用いて転送設定要求を容易に送信することができる。
【００２４】
また、上記の本発明において、移動局毎に該転送先電話番号を対応付けることもできる。これにより、移動局毎に異なる番号の電話に、着呼を転送することが可能になる。
また、上記の本発明において、該転送先電話番号を、該移動局から通知することができる。すなわち、各移動局は、自局に対応する転送先電話番号を、例えば、該位置登録要求に含めて該移動通信網装置に通知する。
【００２５】
また、上記の本発明において、該転送設定処理部は、該着呼の転送設定を解除する情報を、該移動通信網装置に通知することができる。これにより、例えば、移動局の状態又は移動局の指定により、着呼を転送しないようにすることができる。
【００２６】
なお、転送設定を解除する情報として、例えば、「移動局の電源断」、「移動局の受信強度が所定の閾値以下」、及び「“転送設定”以外」等とすることが可能である。
さらに、上記の本発明において、該転送設定処理部は、転送設定要求を該移動局の電源断を契機として送出することができる。これにより、上記の本発明とは逆に、電源を断にした移動局への着呼を自動的に転送するようにしてもよい。
【００２７】
上記の課題を解決するため、本発明に係る移動局は、特定の基地局が送出する着信転送制御情報を受信する着信転送制御情報受信回路と、該受信回路が該着信転送制御情報を受信したとき、自局に対する着呼の所定の電話番号への転送を有効にする転送設定要求を該特定の基地局経由で移動通信網装置に送信する着信転送要求／解除送信回路とを備えたことを特徴としている。
【００２８】
すなわち、特定の基地局は、着信転送制御情報を送出する。着信転送制御情報受信回路が着信転送制御情報を受信したとき、着信転送要求／解除送信回路は、転送設定要求を該特定の基地局を経由で移動通信網装置に送信して、自分自身に対する着呼を所定の転送先電話番号に転送することを有効にする。
【００２９】
これによって、着信転送制御情報を送信する特定の基地局の通信エリアに在圏する移動局に対する着呼を、指定された電話番号に転送することが可能になる。
なお、転送先電話番号は、移動局又は固定電話の番号であってもよい。
また、転送先電話番号は、予め特定の基地局に対応付けて移動通信網装置に設定しておいてもよいし、基地局から通知してもよい。
【００３０】
また、移動通信網装置は、着信転送するとき、発信元に対して音声によって転送することを通知するようにしてもよい。
また、上記の本発明において、該転送設定要求を位置登録設定要求に含ませることが可能である。これにより、従来の位置登録設定要求を用いて転送設定要求を容易に送信することができる。
【００３１】
また、上記の本発明において、該移動通信網装置は、該転送先電話番号を予め保持していることができる。
また、上記の本発明において、該着信転送要求／解除送信回路は、該転送先電話番号を該移動通信網装置に通知することができる。
【００３２】
なお、転送先電話番号は、移動局が予め保持してもよいし、外部から設定してもよい。
また、上記の本発明において、移動局毎に該転送先電話番号を対応付けることができる。これにより、移動局毎に異なる番号の電話に、着呼を転送することが可能になる。
【００３３】
また、上記の本発明において、該転送先電話番号を該特定の基地局から通知することができる。すなわち、特定の基地局は、例えば、着信転送制御情報に転送先電話番号を含めて移動局に通知する。
また、上記の本発明において、該着信転送要求／解除送信回路は、該着信転送制御情報を一定時間以上受信しなくなったとき、電波の強度が所定の閾値以下になったとき、又は電源断スイッチが押されたとき、転送設定を解除する転送設定解除要求を該移動通信網装置に通知することができる。
【００３４】
また、上記の本発明において、該着信転送要求／解除送信回路は、電源断スイッチが押されたとき、転送設定要求を該移動通信網装置に通知することができる。
すなわち、着信転送制御情報を受信しているときで、且つ、電源断スイッチが押されたとき、逆に、転送設定要求を該移動通信網装置に通知するようにしてもよい。これにより、特定の基地局の通信エリアに内において、電源断にした移動局への着呼が自動的に転送されることになる。
【００３５】
さらに、上記の本発明において、該着信転送制御情報受信回路は、複数の基地局から信号を受信する場合、該特定基地局に対応する信号強度の閾値を下げることができる。これにより、特定の基地局から通常の基地局へのハンドオーバを抑制することが可能になる。
【００３６】
【発明の実施の形態】
図１は、本発明の実施例を示している。この実施例では、それぞれ本発明に係る移動局１０、着信転送制御情報送信基地局３０、及び移動通信網装置４０を含むネットワーク構成例を示している。
【００３７】
このネットワークにおいては、従来の基地局２０、本発明に係る着信転送制御情報送信基地局３０、及び固定通信網５０が、本発明に係る移動通信網装置４０に接続されている。また、固定通信網５０には固定電話６０が接続されている。
基地局２０，３０は、それぞれ通信エリア２０ａ，３０ａを持っている。移動局１０は、通信エリア２０ａから移動して通信エリア３０ａに在圏している。
【００３８】
図２は、本発明の移動局１０の実施例を示しており、この移動局１０は、着信転送制御情報受信回路１１、着信転送制御情報解析回路１２、及び着信転送要求／解除送信回路１３が、この順に縦続接続され、アンテナ１４が受信回路１１の入力端子と送信回路１３の出力端子に共通に接続されている。
【００３９】
受信回路１１及び解析回路１２は、基地局３０の通信エリア３０ａに入ったことを検出する手段である。送信回路１３は、解析回路１２の解析結果に応じて、基地局３０を経由して移動通信網装置４０に対して、移動局１０への着呼を転送するように設定する転送設定要求を自動的に送信する。
【００４０】
図３は、本発明の着信転送制御情報送信基地局３０の実施例を示している。この基地局３０には着信転送制御情報送信回路３１と、これに接続されたアンテナ３２とが設けられている。送信回路３１は、基地局３０が通信エリア３０ａに在圏する移動局への着呼を転送すべきことを示す着信転送制御情報を移動局に与える。
【００４１】
図４は、移動通信網装置４０の実施例を示しており、この移動通信網装置４０は、基地局２０，３０、及び固定通信網５０に接続された回線制御回路４１と、この回線制御回路４１に接続された着信転送制御回路４２と、この着信転送制御回路４２に接続された位置登録テーブル４３及び転送先テーブル４４とで構成されている。
【００４２】
なお、転送先テーブル４４を位置登録テーブル４３に含ませてもよい。
位置登録テーブル４３は、移動局とそれが在圏する基地局とを対応付けたテーブルであり、転送先テーブル４４は、着信転送制御情報送信基地局３０と転送先電話番号とを対応付けたテーブルである。
【００４３】
なお、転送先電話番号は、例えば、固定電話番号又は固定された移動局の電話番号であってもよい。また、転送先テーブル４４は、移動局毎に転送先電話番号を対応付けてもよい。
図５（１）は、図１に示したネットワークにおける転送先設定動作手順例（１）を示している。この動作手順例（１）では、移動通信網装置４０の主導で着信転送先設定が行われる。
【００４４】
なお、動作手順例（１）では、移動局１０は、図２に示した構成の移動局である必要はなく従来の移動局でもよい。また、基地局３０も、図３に示した送信回路３１を必要とせず、従来の基地局２０と同じ構成でよい。
移動通信網装置４０は、従来の移動通信網装置に図４に示した着信転送制御回路４２及び転送先テーブル４４のみを付加した移動通信網装置である。基地局３０は、転送先テーブル４４に登録されている。
【００４５】
図１において、移動局１０が、基地局３０の通信エリア３０ａに入って来たときの動作手順を図５（１）に基き、以下に説明する。
ステップＳ１００：移動局１０は、基地局３０に対して位置登録要求７０１を送信する。
ステップＳ１１０：基地局３０は、位置登録設定要求７０２を移動通信網装置４０に送信する。
【００４６】
同図（２）は、位置登録設定要求７０２を示しており、この位置登録設定要求７０２には、モバイル識別子＝“移動局番号”、ロケーション・エリア識別子＝“基地局番号”、及び登録タイプ＝“転送設定要求”が含まれている。
なお、“転送設定要求”は、特定の基地局の通信エリアに在圏する移動局への着呼の転送を有効にするものであり、また、位置登録設定要求７０２とは別の信号形態をとってもよい。
【００４７】
ステップＳ１２０：移動通信網装置４０において、着信転送制御回路４２は、位置登録設定要求７０２に基き位置登録テーブル４３（図４参照）に移動局１０の位置登録を行う。
ステップＳ１３０，Ｓ１４０：さらに、着信転送制御回路４２は、位置登録設定要求７０２に示されたロケーション・エリア識別子＝“基地局番号”が、転送先テーブル４４に登録されている場合、基地局３０は、着信転送制御情報送信基地局（特定の基地局）であると判断し、転送先設定処理を行う。
【００４８】
すなわち、着信転送制御回路４２は、転送先テーブル４４の基地局３０の番号と転送先電話番号とを対応付けると共に、基地局３０が転送設定状態であることを表示する。
なお、転送先テーブル４４への特定の基地局の登録は、予め登録しておいてもよい。各特定の基地局が登録するようにしてもよいが、この場合、基地局は自分自身が特定の基地局であることを認識しておく必要がある。
【００４９】
また、転送先電話番号は、予め基地局に対応付けて登録しておいてもよい。又は、位置登録設定要求７０２に含ませて着信転送制御回路４２に通知してもよいが、この場合、基地局３０は、転送先電話番号を知っている必要がある。
これにより、以後、基地局３０の通信エリア３０ａに在圏する移動局１０への着呼は、転送先電話番号の電話に転送される。
ステップＳ１５０，Ｓ１６０：移動通信網装置４０は、基地局３０に位置登録設定完了７０３を送信し、基地局３０は、位置登録完了７０４を移動局１０に送信して転送先設定動作が完了する。
【００５０】
図６（１）は、図１に示したネットワークにおける転送先設定動作手順例（２）を示している。この動作手順例（２）では、基地局３０の主導で着信転送先設定が行われる。
なお、動作手順例（２）では、動作手順例（１）と同様に、移動局１０は、図２に示した構成の移動局である必要はなく従来の移動局でよい。また、基地局３０は、図３に示した送信回路３１を必要としないが、転送設定を行う機能を備えている。
【００５１】
すなわち、基地局３０は、従来の位置登録設定要求の登録タイプに“転送設定要求（新規コード）”を設定する機能をそなえている。
また、移動通信網装置４０は、図４に示したように着信転送制御回路４２及び転送先テーブル４４を備えている。さらに、基地局３０は、図４に示した移動通信網装置４０の転送先テーブル４４に登録されている。
【００５２】
図１において、移動局１０が、基地局３０の通信エリア３０ａに入って来たときの動作手順例を図６（１）に基き、以下に説明する。
ステップＳ２００：移動局１０は、基地局３０に対して位置登録要求７１１を送信する。
ステップＳ２１０，Ｓ２２０：基地局３０において、位置登録要求受信部（図示せず）は、位置登録要求を受信し、この位置登録要求に基き転送設定処理部（図示せず）は転送先設定処理を行う。すなわち、基地局３０は、位置登録設定要求７１２を移動通信網装置４０に送信する。
【００５３】
同図（２）は、位置登録設定要求７１２を示しており、この位置登録設定要求７１２には、モバイル識別子＝“移動局番号”、ロケーション・エリア識別子＝“基地局番号”、及び登録タイプ＝“転送設定要求（新規コード）”が含まれている。
この“転送設定”は、基地局３０の通信エリア３０ａに在圏する移動局１０への着呼を転送する旨の設定を要求していることを示している。
【００５４】
ステップＳ２３０：移動通信網装置４０において、着信転送制御回路４２は、位置登録設定要求７１２に基き位置登録テーブル４３に移動局１０の位置登録を行う。
ステップＳ２４０，Ｓ２５０：さらに、着信転送制御回路４２は、位置登録設定要求７１２の登録タイプ＝“転送設定要求”であるので、基地局３０が着信転送対象の基地局であると判断し、転送先設定処理を行う。
【００５５】
すなわち、着信転送制御回路４２は、転送先テーブル４４の基地局３０の番号と転送先電話番号とを対応付けると共に、基地局３０が転送設定状態であることを表示する。
なお、転送先テーブル４４への特定の基地局の登録は、予め登録しておいてもよい。また、転送先電話番号は、予め基地局に対応付けて登録しておいてもよいし、位置登録設定要求７０２に含ませて着信転送制御回路４２に通知してもよいが、この場合、基地局３０は、転送先電話番号を知っている必要がある。
【００５６】
これにより、以後、基地局３０の通信エリア３０ａに在圏する移動局１０への着呼は、転送先電話番号の電話に転送される。
ステップＳ２６０，Ｓ２７０：転送先設定動作手順例（１）のステップＳ１５０，Ｓ１６０と同様である。
【００５７】
図７は、図１に示したネットワークにおける転送先設定動作手順例（３）を示している。この動作手順例（３）では、移動局１０の主導で着信転送先設定が行われる。
動作手順例（３）では、移動局１０は、図２に示した構成の移動局であり、基地局３０は、図３に示した構成であるとともに、従来の位置登録設定要求の登録タイプに“転送設定要求（新規コード）”を設定する機能を備えている。基地局３０は、図４に示した移動通信網装置４０の転送先テーブル４４に登録されている。
【００５８】
図１において、移動局１０が、基地局３０の通信エリア３０ａに入って来たときの動作手順例を図７に基き、以下に説明する。
下線ステップＳ３１０：基地局３０において、着信転送制御情報送信回路３１（図３参照）は、基地局３０が、着信転送が行われるべき基地局であることを示す着信転送制御情報（ベース・クラス＝“転送サービス（新規コード）”）を報知情報７２１に含めて送信する。
【００５９】
図８（１）は、報知情報７２１を示しており、この報知情報７２１には、ベース・クラス＝“転送サービス”が含まれている。この“転送サービス”が、着信転送が行われるべき基地局であることを示している。
ステップＳ３２０，Ｓ３３０：移動局１０において、着信転送制御情報受信回路１１（図２参照）は、報知情報７２１を受信する。着信転送制御情報解析回路１２は、報知情報７２１のベース・クラス＝“転送サービス”であると解析する。この解析結果に基づき、着信転送要求／解除送信回路１３は、転送先設定処理を行う、すなわち、位置登録要求７２２を基地局３０に送信する。
【００６０】
同図（２）は、位置登録要求７２２を示しており、この位置登録要求７２２には、登録タイプ＝“転送設定要求（新規コード）”が設定されている。
ステップＳ３４０，Ｓ３５０：基地局３０は、位置登録要求７２２の登録タイプ＝“転送設定要求”であるので、登録タイプ＝“転送設定要求（新規コード）”を設定した位置登録設定要求７２３を移動通信網装置４０に送信する。
【００６１】
同図（３）は、位置登録設定要求７２３を示しており、この位置登録設定要求７２３は、図６（２）に示した位置登録設定要求７１２と同様である。
ステップＳ３６０〜Ｓ４００：以後の動作は、図６（１）に示した転送先設定動作手順例（２）のステップＳ２３０〜Ｓ２７０と同様である。
【００６２】
この結果、転送先テーブル４４には、基地局番号と転送先電話番号とが対応付けられて保持されるとともに、基地局３０が転送設定状態であることが表示される。以後、基地局３０の通信エリア３０ａに在圏する移動局１０への着呼は、転送先電話番号の電話に転送される。
【００６３】
なお、移動局１０は、特定の基地局３０及び基地局２０の通信エリアに在圏している場合、電波強度の強い信号を選択する。基地局３０に通信エリア３０ａにおいて、移動局１０主導で転送設定が行われた場合、移動局１０は、基地局３０に対する信号強度の閾値を下げ、基地局３０の信号を優先することで、基地局２０のハンドオーバを抑制するようにしてもよい。
【００６４】
図９は、図１に示したネットワークにおける転送先設定動作手順例（４）を示している。この動作手順例（４）では、動作手順例（３）の変形例を示しており、転送先電話番号を、基地局が指定する。
ステップＳ４１０：着信転送制御情報送信基地局３０は、常に通信エリア３０ａの着信転送制御情報を送出している。移動局１０は、基地局３０からの着信転送制御情報を受信する。
【００６５】
ステップＳ４２０：移動局１０は、着信転送制御情報内に例えば転送先固定電話６０（図１参照）の電話番号があるか否かを判定する。
ステップＳ４３０：転送先電話番号がある場合、移動局１０は、着信転送制御情報内にある電話番号に転送する旨の要求を移動通信網装置４０の着信転送制御回路４２に送出する。
【００６６】
これにより、移動局１０が着信転送制御情報送信基地局３０の通信エリア３０ａに移動した場合、移動局１０への着呼が、転送先固定電話６０に接続されることになる。なお、着信転送を行う場合、着信転送制御回路４２は発信元に対して、転送することを音声にて通知するようにしてもよい。
【００６７】
また、着信転送制御情報内にある電話番号は固定電話に制限されるものではなく、電話番号を持つものであれば転送先として指定することが可能である。
また、転送先電話番号は、基地局３０が指定するのではなく、移動局自身が指定するようにしてもよい。
【００６８】
図１０（１）は、転送先解除動作手順例（１）を示している。この動作手順例（１）を以下に説明する。
ステップＳ５００：移動局１０は、基地局３０の通信エリア３０ａに在圏しているときに電源断のスイッチが押されたとき、位置登録要求７３１を基地局３０に送信する。
【００６９】
同図（２）は、位置登録要求７３１を示しており、この位置登録要求７３１の登録タイプ＝“電源断”が設定されている。
ステップＳ５１０：基地局３０は、受信した位置登録要求７３１の登録タイプ＝“電源断”であるので、位置登録設定要求７３２を移動通信網装置４０に送信する。
【００７０】
同図（３）は、位置登録設定要求７３２を示しており、この位置登録設定要求７３２には登録タイプ＝“電源断”が設定されている。
ステップＳ５２０〜Ｓ５４０：移動通信網装置４０は、従来の位置登録処理を実行するとともに、位置登録設定要求７３２の登録タイプ＝“電源断”であるので、転送先解除処理を実行する。すなわち、移動通信網装置４０は、転送先テーブル４４の移動局１０の転送先を解除する。
【００７１】
ステップＳ５５０，Ｓ５６０：移動通信網装置４０は、基地局２０に位置登録設定完了７３３を送信し、基地局２０は、位置登録完了７３４を移動局１０に送信して転送先解除動作が完了する。
これにより、移動通信網装置は、以後、電源断状態である移動局１０への着呼の転送を行わないようにする。なお、動作手順例（１）では、転送先解除は移動局毎に行われる。
【００７２】
図１１（１）は、転送先解除動作手順例（２）を示している。この動作手順例（２）を以下に説明する。この動作手順例（２）では、従来の基地局２０に移動局１０が位置登録をした場合の手順を示している。
ステップＳ６００：移動局１０は、着信転送制御情報送信基地局３０（図示せず）の通信エリア３０ａから従来の基地局２０の通信エリア２０ａに移動したとき、位置登録要求７４１を基地局２０に送信する。
【００７３】
同図（２）は、位置登録要求７４１を示しており、この位置登録要求７３１の登録タイプ＝“転送設定”以外タイプである例えば“位置登録”が設定されている。
ステップＳ６１０：基地局２０は、受信した位置登録要求７４１の登録タイプ＝“位置登録”であるので、位置登録設定要求７４２を移動通信網装置４０に送信する。
【００７４】
同図（３）は、位置登録設定要求７４２を示しており、この位置登録設定要求７４２には登録タイプ＝““転送設定”以外のタイプである“位置登録””が設定されている。
ステップＳ６２０〜Ｓ６４０：移動通信網装置４０において、着信転送制御回路４２は、従来の位置登録処理を実行する。
【００７５】
さらに、着信転送制御回路４２は、基地局２０からの位置登録設定要求７３２の登録タイプ＝“位置登録”、ロケーション・エリア識別子＝“基地局２０の番号”、及びモバイル識別子＝“移動局１０の番号”であるので、移動局１０が基地局３０の通信エリア３０ａ外に移動したと判断し、転送先解除処理を実行する。
【００７６】
すなわち、着信転送制御回路４２は、転送先テーブル４４に転送設定された、モバイル識別子＝“移動局番号”に対応する移動局１０の転送先を解除する。
ステップＳ６５０，Ｓ６６０：転送先解除動作手順例（１）のステップＳ５５０，Ｓ５６０と同様である。
【００７７】
これにより、移動通信網装置は、以後、移動局１０へ着呼したとき、着呼の転送を行わないようにすることが可能になる。なお、動作手順例（２）では、動作手順例（１）と同様に、転送先解除は移動局毎に行われる。
図１２は、転送先解除動作手順例（３）を示している。この動作手順例（３）を以下に説明する。
【００７８】
ステップＳ７００，Ｓ７１０：移動通信網装置４０は、移動局１０から一定時間以上アクセスがない場合、転送先解除処理を行う。
これにより、移動通信網装置は、以後、移動局１０へ着呼の転送を行わないようにすることが可能になる。
（付記１）
特定の基地局と、該基地局の通信エリアに在圏する移動局への着呼の転送先電話番号とを対応付けた転送先テーブルと、
該移動局に対する着呼を、該特定の基地局を経由して該転送先テーブルに基づき転送する着信転送制御回路と、
を備えたことを特徴とする移動通信網装置。
（付記２）上記の付記１において、
着信転送制御回路が、該特定の基地局から転送設定要求を受信することによって、該特定の基地局の通信エリアに在圏する移動局への着呼の転送を有効にすることを特徴とした移動通信網装置。
（付記３）上記の付記２において、
該転送設定要求が位置登録設定要求に含まれることを特徴とした移動通信網装置。
（付記４）上記の付記１において、
該転送先テーブルが、該移動局毎に転送先電話番号を対応付けていることを特徴とした移動通信網装置。
（付記５）上記の付記３において、
該転送先電話番号は、該特定の基地局を経由して、該移動局から通知されることを特徴とした移動通信網装置。
（付記６）上記の付記２において、
該転送先テーブルの転送先を解除する情報が、該特定の基地局を経由して、該移動局から通知されることを特徴とした移動通信網装置。
（付記７）上記の付記２において、
該基地局が、転送設定要求を該移動局の電源断を契機として送出することを特徴とした移動通信網装置。
（付記８）上記の付記１において、
該着信転送制御回路は、着信転送を音声によって発信元に通知することを特徴とした移動通信網装置。
（付記９）
自分自身の通信エリアに在圏する移動局からの位置登録要求を受信する位置登録要求受信部と、
該通信エリアに在圏している移動局への着呼を所定の転送先電話番号に転送することを有効にする転送設定要求を、移動通信網装置に対して行う転送設定処理部と、
を備えたことを特徴とする基地局。
（付記１０）上記の付記９において、
該転送設定要求が位置登録設定要求に含まれることを特徴とした基地局。
（付記１１）上記の付記９において、
移動局毎に該転送先電話番号が対応付けられていることを特徴とした基地局。（付記１２）上記の付記１１において、
該転送先電話番号は、該移動局から通知されることを特徴とした基地局。
（付記１３）上記の付記９において、
該転送設定処理部が、該着呼の転送設定を解除する情報を、該移動通信網装置に通知することを特徴とした基地局。
（付記１４）上記の付記９において、
該転送設定処理部が、転送設定要求を該移動局の電源断を契機として送出することを特徴とした基地局。
（付記１５）
特定の基地局が送出する着信転送制御情報を受信する着信転送制御情報受信回路と、
該受信回路が該着信転送制御情報を受信したとき、自局に対する着呼の所定の電話番号への転送を有効にする転送設定要求を該特定の基地局経由で移動通信網装置に送信する着信転送要求／解除送信回路と、
を備えたことを特徴とする移動局。
（付記１６）上記の付記１５において、
該転送設定要求が、位置登録設定要求に含まれることを特徴とした移動局。
（付記１７）上記の付記１５において、
該移動通信網装置が、該転送先電話番号を予め保持していることを特徴とした移動局。
（付記１８）上記の付記１５において、
該着信転送要求／解除送信回路が、該転送先電話番号を該移動通信網装置に通知することを特徴とした移動局。
（付記１９）上記の付記１８において、
移動局毎に該転送先電話番号が対応付けられていることを特徴とした移動局。（付記２０）上記の付記１８において、
該転送先電話番号が、該特定の基地局から通知されることを特徴とした移動局。
（付記２１）上記の付記１５において、
該着信転送要求／解除送信回路は、該着信転送制御情報を一定時間以上受信しなくなったとき、電波の強度が所定の閾値以下になったとき、又は電源断スイッチが押されたとき、転送設定を解除する転送設定解除要求を該移動通信網装置に通知することを特徴とした移動局。
（付記２２）上記の付記１５において、
該着信転送要求／解除送信回路は、電源断スイッチが押されたとき、転送設定要求を該移動通信網装置に通知することを特徴とした移動局。
（付記２３）上記の付記１５において、
該着信転送制御情報受信回路は、複数の基地局から信号を受信する場合、該特定基地局に対応する信号強度の閾値を下げることを特徴とした移動局。
【００７９】
【発明の効果】
以上説明したように、本発明によれば、移動通信網装置が、特定の基地局と転送先電話番号とを対応付けた転送先テーブルに基き、移動局への着呼を転送するか、若しくは基地局が、その通信エリアに在圏している移動局への着呼を所定の転送先電話番号に転送することを有効にする転送設定要求を移動通信網装置に対して行うか、又は移動局が、特定の基地局が送出する着信転送制御情報を受信したとき、自局に対する着呼の所定の電話番号への転送を有効にする転送設定要求を該特定の基地局経由で移動通信網装置に送信するように構成したので、移動通信網のサービスエリアの中で、通話が規制されているエリアに移動した移動局への着呼を所定の電話番号に転送することが可能になる。
【００８０】
この着信転送が自動的に行われるため、例えば、病院等の携帯電話（移動局）の通話が規制されているエリアにおいて、携帯電話の替わりに固定電話での通話が可能となり、ユーザの利便性が向上する。
【図面の簡単な説明】
【図１】本発明に係る移動通信網装置、着信転送制御情報送信基地局、及び移動局を構成要素とした実施例を示したブロック図である。
【図２】本発明に係る移動局の実施例を示したブロック図である。
【図３】本発明に係る着信転送制御情報送信基地局の実施例を示したブロック図である。
【図４】本発明に係る移動通信網装置の実施例を示したブロック図である。
【図５】本発明に係る移動通信網装置、着信転送制御情報送信基地局、及び移動局を構成要素としたネットワークにおける転送先設定動作手順例（１）：移動通信網装置主導、を示したシーケンス図である。
【図６】本発明に係る移動通信網装置、着信転送制御情報送信基地局、及び移動局を構成要素としたネットワークにおける転送先設定動作手順例（２）：着信転送制御情報送信基地局主導、を示したシーケンス図である。
【図７】本発明に係る移動通信網装置、着信転送制御情報送信基地局、及び移動局を構成要素としたネットワークにおける転送先設定動作手順例（３）：移動局主導、を示したシーケンス図である。
【図８】本発明に係る転送先設定動作手順例（３）におけるメッセージ及び要求例を示した図である。
【図９】本発明に係る移動局の転送先設定動作手順例（４）を示したフローチャート図である。
【図１０】本発明に係る移動通信網装置、着信転送制御情報送信基地局、及び移動局を構成要素としたネットワークにおける転送先解除動作手順例（１）を示したシーケンス図である。
【図１１】本発明に係る移動通信網装置、着信転送制御情報送信基地局、及び移動局を構成要素としたネットワークにおける転送先解除動作手順例（２）を示したシーケンス図である。
【図１２】本発明に係る移動通信網装置、着信転送制御情報送信基地局、従来の基地局、及び移動局を構成要素としたネットワークにおける転送先解除動作手順例（３）を示したシーケンス図である。
【符号の説明】
１０  移動局
１１  着信転送制御情報受信回路            １２  着信転送制御情報解析回路
１３  着信転送要求／解除送信回路          １４  アンテナ
２０  基地局                                                ２０ａ  通信エリア
３０  着信転送制御情報送信基地局        ３０ａ  通信エリア
３１  着信転送制御情報送信回路            ３２  アンテナ
４０  移動通信網装置                                ４１  回線制御回路
４２  着信転送制御回路                            ４３  位置登録テーブル
４４  転送先テーブル
５０  固定通信網                                        ６０  固定電話
７０１，７１１，７２２，７３１，７４１  位置登録要求
７０２，７１２，７２３，７３２，７４２  位置登録設定要求
７０３，７１３，７２４，７３３，７４３  位置登録設定完了
７０４，７１４，７２５，７３４，７４４  位置登録完了
７２１  報知情報メッセージ
図中、同一符号は同一又は相当部分を示す。
【図１】
2004254183.tif 000003
【図２】
2004254183.tif 000004
【図３】
2004254183.tif 000005
【図４】
2004254183.tif 000006
【図５】
2004254183.tif 000007
【図６】
2004254183.tif 000008
【図７】
2004254183.tif 000009
【図８】
2004254183.tif 000010
【図９】
2004254183.tif 000011
【図１０】
2004254183.tif 000012
【図１１】
2004254183.tif 000013
【図１２】
2004254183.tif 000014